(57)【特許請求の範囲】
【請求項１】
複数の空気調和室内機のうちの１つ以上の装置を操作可能であるとともに、前記複数の空気調和室内機を管理するシステムコントローラと通信を行うことが可能なリモートコントローラであって、
無線通信により携帯端末から情報を受信する第１の通信部と、
前記情報に基づいて、前記携帯端末を、前記１つ以上の装置を操作可能な操作端末に登録することを要求する情報である登録依頼情報を生成する登録依頼部と、
前記登録依頼情報を前記システムコントローラへ送信する第２の通信部と、
を備え、
前記第１の通信部は、前記携帯端末から受信した無線信号の電波強度に基づいて前記携帯端末が前記リモートコントローラに近接しているか否かを判定し、
前記登録依頼部は、前記第１の通信部により前記携帯端末が前記リモートコントローラに近接していると判定された場合に、前記携帯端末を前記１つ以上の装置を操作可能な操作端末に登録することを要求する前記登録依頼情報を生成するリモートコントローラ。
【請求項２】
前記情報は、前記携帯端末の識別情報であり、
前記登録依頼部は、前記携帯端末の識別情報と前記１つ以上の装置とを対応付けることを要求する前記登録依頼情報を生成する請求項１に記載のリモートコントローラ。
【請求項３】
複数の空気調和室内機のうちの１つ以上の装置を操作可能であるとともに、前記複数の空気調和室内機を管理するシステムコントローラと通信を行うことが可能なリモートコントローラであって、
無線通信により携帯端末から情報を受信する第１の通信部と、
前記情報に基づいて、前記携帯端末を、前記１つ以上の装置を操作可能な操作端末に登録することを要求する情報である登録依頼情報を生成する登録依頼部と、
前記登録依頼情報を前記システムコントローラへ送信する第２の通信部と、
を備え、
前記情報は、前記携帯端末の識別情報であり、
前記登録依頼部は、前記携帯端末の識別情報を取得できた場合に、操作識別情報を生成し、前記操作識別情報と前記１つ以上の装置とを対応付けることを要求する前記登録依頼情報を生成し、
前記第１の通信部は、前記携帯端末の識別情報に基づいて前記携帯端末へ前記操作識別情報を送信するリモートコントローラ。
【請求項４】
前記操作識別情報は、前記携帯端末から信号を受信するごとに更新される請求項３に記載のリモートコントローラ。
【請求項５】
複数の空気調和室内機と、前記複数の空気調和室内機を管理するシステムコントローラと、前記空気調和室内機のうちの１つ以上を操作可能であるとともに、前記システムコントローラと通信を行うことが可能なリモートコントローラと、を備える空気調和システムであって、
前記リモートコントローラは、
無線通信により携帯端末から情報を受信する第１の通信部と、
前記情報に基づいて、前記携帯端末を、前記１つ以上の装置を操作可能な操作端末に登録することを要求する情報である登録依頼情報を生成する登録依頼部と、
前記登録依頼情報を前記システムコントローラへ送信する第２の通信部と、
を備え、
前記第１の通信部は、前記携帯端末から受信した無線信号の電波強度に基づいて前記携帯端末が前記リモートコントローラに近接しているか否かを判定し、
前記登録依頼部は、前記第１の通信部により前記携帯端末が前記リモートコントローラに近接していると判定された場合に、前記携帯端末を前記１つ以上の装置を操作可能な操作端末に登録することを要求する前記登録依頼情報を生成する空気調和システム。
【請求項６】
複数の空気調和室内機と、前記複数の空気調和室内機を管理するシステムコントローラと、前記空気調和室内機のうちの１つ以上を操作可能であるとともに、前記システムコントローラと通信を行うことが可能なリモートコントローラと、を備える空気調和システムであって、
前記リモートコントローラは、
無線通信により携帯端末から情報を受信する第１の通信部と、
前記情報に基づいて、前記携帯端末を、前記１つ以上の装置を操作可能な操作端末に登録することを要求する情報である登録依頼情報を生成する登録依頼部と、
前記登録依頼情報を前記システムコントローラへ送信する第２の通信部と、
を備え、
前記情報は、前記携帯端末の識別情報であり、
前記登録依頼部は、前記携帯端末の識別情報を取得できた場合に、操作識別情報を生成し、前記操作識別情報と前記１つ以上の装置とを対応付けることを要求する前記登録依頼情報を生成し、
前記第１の通信部は、前記携帯端末の識別情報に基づいて前記携帯端末へ前記操作識別情報を送信する空気調和システム。
【請求項７】
前記システムコントローラは、前記登録依頼情報に基づいて前記携帯端末と前記１つ以上の装置との対応を示す関連付け情報を保持し、前記携帯端末から前記空気調和室内機に対する操作指令を受信した場合、前記関連付け情報に基づいて、前記空気調和室内機へ前記操作指令を送信するか否かを判断する請求項５または６に記載の空気調和システム。
【請求項８】
前記システムコントローラは、前記登録依頼情報に基づいて前記携帯端末と前記１つ以上の装置との対応を示す関連付け情報を保持し、前記携帯端末から前記空気調和室内機に対する前記空気調和室内機の状態の取得を要求する状態取得要求を受信した場合、前記関連付け情報に基づいて、前記空気調和室内機へ前記状態取得要求を送信するか否かを判断する請求項５または６に記載の空気調和システム。
【請求項９】
前記空気調和室内機から状態の変化を通知する状態変化通知を受信した場合、前記関連付け情報に基づいて、前記状態変化通知を送信する前記携帯端末を決定する請求項７または８に記載の空気調和システム。
【請求項１０】
前記関連付け情報により第１の空気調和室内機と対応付けられている前記携帯端末と第２の空気調和室内機との対応付けを要求する前記登録依頼情報を受信した場合、第１の空気調和室内機と前記携帯端末との対応付けを前記関連付け情報から削除する請求項７から９のいずれか１つに記載の空気調和システム。
【発明の詳細な説明】
【技術分野】
【０００１】
本発明は、複数の室内機を備える空気調和システムにおけるリモートコントローラおよび空気調和システムに関する。
【背景技術】
【０００２】
専用のリモートコントローラ（以下、リモコンという）ではない携帯端末から家電の遠隔操作を行うために、家電と携帯端末とを関連付ける必要がある。家電と携帯端末とを関連付ける方法として、家電と携帯端末とを直接操作する方法が考えられる。しかしながら、この方法は、ユーザーが操作しにくい場所に設置されている家電には不向きである。【０００３】
特許文献１では、家電のリモコンと携帯端末とをペアリングすなわち関連付けし、リモコンに関連付けられた携帯端末から家電への操作を許可することにより、携帯端末から家電への遠隔操作を可能としている。特許文献１に記載の技術は、家電そのものを操作することなく、ユーザーの手元で携帯端末と家電との関連付けを実現している。
【先行技術文献】
【特許文献】
【０００４】
【特許文献１】特開２０１６−１５５４４号公報
【発明の概要】
【発明が解決しようとする課題】
【０００５】
特許文献１に記載の技術では、初期設定時に一度関連付けを行って、以降、家電と携帯端末の関連付けを保持して、継続して遠隔操作を行っている。一方、ビル用空気調和システムのように複数の室内機を有するシステムにおいては、ユーザーは自身のいる場所に応じて操作対象の室内機を切り替えることがある。この場合、ユーザーが移動するとその都度リモコンを操作して携帯端末と各室内機との関連付けを行うことは手間がかかるという課題があった。【０００６】
本発明は、上記に鑑みてなされたものであって、ユーザーの手間を省いて携帯端末と室内機とを関連付けることができるリモートコントローラを得ることを目的とする。
【課題を解決するための手段】
【０００７】
上述した課題を解決し、目的を達成するために、本発明は、複数の空気調和室内機のうちの１つ以上の装置を操作可能であるとともに、複数の空気調和室内機を管理するシステムコントローラと通信を行うことが可能なリモートコントローラであって、無線通信により携帯端末から情報を受信する第１の通信部、を備える。また、リモートコントローラは、情報に基づいて、携帯端末を、上述した１つ以上の装置を操作可能な操作端末に登録することを要求する情報である登録依頼情報を生成する登録依頼部と、登録依頼情報をシステムコントローラへ送信する第２の通信部と、を備え、第１の通信部は、携帯端末から受信した無線信号の電波強度に基づいて携帯端末がリモートコントローラに近接しているか否かを判定し、登録依頼部は、第１の通信部により携帯端末がリモートコントローラに近接していると判定された場合に、携帯端末を１つ以上の装置を操作可能な操作端末に登録することを要求する登録依頼情報を生成する。
【発明の効果】
【０００８】
本発明にかかるリモートコントローラは、ユーザーの手間を省いて携帯端末と室内機とを関連付けることができるという効果を奏する。
【図面の簡単な説明】
【０００９】
【図１】実施の形態１にかかる空気調和システムの構成例を示す図
【図２】実施の形態１の空調室内機、リモコン、システムコントローラの構成例を示す図
【図３】実施の形態１の携帯端末の構成例を示す図
【図４】実施の形態１の制御回路の構成例を示す図
【図５】実施の形態１のリモコンにおける携帯端末の登録動作の一例を示すフローチャート
【図６】実施の形態１の記憶部に格納されている関連付け情報の一例を示す図
【図７】実施の形態１のシステムコントローラにおける動作の一例を示すフローチャート
【図８】実施の形態２の空調室内機、リモコンおよびシステムコントローラの構成例を示す図
【図９】実施の形態２のリモコンにおける携帯端末の登録動作の一例を示すフローチャート
【図１０】実施の形態２のシステムコントローラにおける動作の一例を示すフローチャート
【発明を実施するための形態】
【００１０】
以下に、本発明の実施の形態にかかるリモートコントローラおよび空気調和システムを図面に基づいて詳細に説明する。なお、この実施の形態によりこの発明が限定されるものではない。
【００１１】
実施の形態１．
図１は、本発明の実施の形態１にかかる空気調和システムの構成例を示す図である。図１に示すように本実施の形態の空気調和システム１０は、空調（空気調和）室内機１−１，１−２、リモートコントローラ（以下リモコンと略す）２−１，２−２、システムコントローラ３および携帯端末４を備える。なお、図示を省略しているが、空気調和システム１０はさらに空調室外機を備える。
【００１２】
空調室内機１−１，１−２、リモコン２−１，２−２およびシステムコントローラ３は、空調ネットワークに接続される。空調ネットワークは通信線で接続されたネットワークである。空調ネットワークに接続された各装置は、あらかじめ定められた空調ネットワーク用のプロトコルに従って通信を実施する。システムコントローラ３は、空気調和システム１０全体を制御するコントローラである。システムコントローラ３は、図示しないローカルネットワークまたは携帯電話網経由のインターネットなどである広域ネットワークに接続される。なお、図１では、２台の空調室内機を図示しているが、空気調和システム１０を構成する空調室内機の数は、２台に限定されない。また、図１では、２台のリモコンを図示しているが、空気調和システム１０を構成するリモコンの数は、２台に限定されない。
【００１３】
本実施の形態の空気調和システム１０は、ビルをはじめとした複数のエリアを複数の空調室内機でそれぞれ空調するシステムである。空調室内機１−１，１−２は、それぞれ異なるエリアの空調を実施する。以下、各空調室内機が空調を行うエリアを空調エリアと呼ぶ。
【００１４】
空調室内機１−１，１−２には、それぞれ１つ以上のリモコンが対応付けられている。空調室内機１−１，１−２は、対応付けられているリモコンからの制御を受け付け、対応付けられていないリモコンからの制御は受け付けない。図１に示した例では、空調室内機１−１がリモコン２−１に対応付けられ、空調室内機１−２がリモコン２−２に対応付けられている。空調室内機１−１に対応付けられているリモコン２−１は空調室内機１−１の空調エリアに設置され、空調室内機１−２に対応付けられているリモコン２−２は空調室内機１−２の空調エリアに設置される。なお、１つの空調室内機に２つ以上のリモコンが対応付けられていてもよい。また、複数の空調室内機が１つのリモコンに対応付けられていてもよい。空調室内機１−１，１−２と、リモコン２−１，２−２との対応は、各リモコン２−１，２−２および空調室内機１−１，１−２に設定されている。
【００１５】
以下、空調室内機１−１，１−２を区別しないで示す場合には、空調室内機１と称し、リモコン２−１，２−２を区別しないで示す場合には、リモコン２と称す。
【００１６】
図２は、空調室内機１、リモコン２、システムコントローラ３の構成例を示す図である。図２に示すように、空調室内機１は、空調通信部１１および空調部１２を備える。空調部１２は、機器制御部１２１および空調機器１２２を備える。空調通信部１１は、空調ネットワークを介した通信を行う。例えば、空調通信部１１は、空調室内機１に対応付けられたリモコン２から操作指令を受信すると操作指令を機器制御部１２１へ渡す。操作指令は、暖房、冷房、送風といった運転モード、設定温度などを含む。空調機器１２２は、空調を行うための機器であり、冷媒回路、ルーバー、ファンなどを含む。機器制御部１２１は、空調通信部１１から受け取った操作指令に従って、空調機器１２２を制御する。
【００１７】
リモコン２は、複数の空調室内機１のうちの１つ以上の装置を操作可能であるとともに、複数の空調室内機１を管理するシステムコントローラ３と通信を行うことが可能である。すなわち、リモコン２は、複数の空調室内機１のうちの１つ以上に対応付けられており、対応付けられている空調室内機１を操作可能である。図２に示すように、リモコン２は、空調通信部２１、登録依頼部２２、無線通信部２３を備える。また、リモコン２は、図示しない表示部および入力部を備え、表示部に現在の空調室内機の設定温度、設定されている運転モードといった情報を表示可能であり、ユーザーからの入力部の操作により操作指令の入力を受け付けることが可能である。
【００１８】
空調通信部２１は、空調ネットワークを介した通信を行う。例えば、空調通信部２１は、空調ネットワークを介してユーザーから入力された操作指令を空調室内機１へ送信する。登録依頼部２２は、後述するように、無線通信部２３から受け取った情報に基づいて、携帯端末４からの空調室内機１の操作を可能とするために、携帯端末４の登録を依頼するための登録依頼を生成し、空調通信部２１を介してシステムコントローラ３へ送信する。無線通信部２３は、携帯端末４と無線通信を行うことが可能である。無線通信部２３が行う無線通信としては、ＮＦＣ（Near  Field  radio  Communication）、Ｂｌｕｅｔｏｏｔｈ（登録商標）、ＢＬＥ（Bluetooth  Low  Energy）といった近距離無線通信を用いることができる。なお、無線通信部２３が行う無線通信は、近距離無線通信に限定されず無線ＬＡＮ（Local  Area  Network）などであってもよい。
【００１９】
無線通信部２３は、携帯端末４から受信した無線信号に基づいて、携帯端末４が近接しているか否かを判定し、近接していると判定した場合、携帯端末４から受信した情報を登録依頼部２２へ渡す。すなわち、第１の通信部である無線通信部２３は、無線通信により、携帯端末４から、情報の一例である携帯端末４の識別情報（ＩＤ：IDentifier）を受信する。登録依頼部２２は、携帯端末４のＩＤに基づいて、携帯端末４を、リモコン２に対応付けられている空調室内機１を操作可能な操作端末に登録することを要求する情報である登録依頼すなわち登録依頼情報を生成する。第２の通信部である空調通信部２１は、登録依頼情報を前記システムコントローラ３へ送信する。本実施の形態では、登録依頼部２２は、携帯端末４のＩＤとリモコン２が操作可能な空調室内機１とを対応付けることを要求する登録依頼を生成する。
【００２０】
システムコントローラ３は、複数の空調室内機１を管理する。図２に示すように、システムコントローラ３は、空調通信部３１、中継部３２、広域通信部３３および記憶部３４を備える。空調通信部３１は、空調ネットワークを介した通信を行う。例えば、空調通信部３１は、空調ネットワークを介してリモコン２から登録依頼を受信すると、登録依頼を中継部３２へ渡す。中継部３２は、携帯端末４から空調室内機１への操作を中継する。詳細には、中継部３２は、記憶部３４に格納されている、空調室内機１と空調室内機を操作可能な端末との対応を示す関連付け情報を参照して、関連付け情報に基づいて携帯端末４からの空調室内機１への操作の可否を判断する。詳細には、中継部３２は、リモコン２から登録依頼を受信した場合、登録依頼に基づいて対応情報を更新する。広域通信部３３は、図示しない広域ネットワークを介した通信を行う。例えば、携帯端末４から、広域ネットワークを介して、操作指令を受信すると操作指令の送信元の携帯から送信されたＩＤとともに操作指令を中継部３２へ渡す。なお、システムコントローラ３は、一般的な空気調和システムにおけるシステムコントローラと同様に空調室内機の運転管理機能を別途有しているが、この機能については一般的なものでよいため説明を省略する。
【００２１】
図３は、携帯端末４の構成例を示す図である。携帯端末４は、スマートフォン、携帯電話、タブレットといったユーザーにより携帯可能な端末である。図３に示すように、携帯端末４は、第１無線通信部４１、制御部４２、第２無線通信部４３、入力部４４および表示部４５を備える。第１無線通信部４１は、上述したリモコン２の無線通信部２３が行う無線通信と同一方式の無線通信を行う。第２無線通信部４３は、無線ＬＡＮ、携帯電話網などの規格に従った無線通信を行うことが可能であり、無線通信により広域ネットワークに接続することができる。制御部４２は、携帯端末４の動作を制御する。入力部４４はボタン、スイッチなどであり、表示部４５は、液晶モニタ、ディスプレイなどである。入力部４４および表示部４５は、一体化されてタッチパネルにより実現されてもよい。
【００２２】
上述した各通信部は、通信回路であり、送信機および受信機でもある。空調室内機１の機器制御部１２１、リモコン２の登録依頼部２２、システムコントローラ３の中継部３２および携帯端末４の制御部４２は処理回路により実現される。処理回路は専用のハードウェアであってもよいし、プロセッサを備える制御回路であってもよい。また、システムコントローラ３の記憶部３４はメモリである。
【００２３】
処理回路が専用のハードウェアで実現される場合、これらは、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、またはこれらを組み合わせたものである。
【００２４】
処理回路が、プロセッサを備える制御回路である場合、この制御回路は、例えば図４に示した制御回路である。図４は、実施の形態１の制御回路１００の構成例を示す図である。制御回路１００は、プロセッサ１０１およびメモリ１０２を備える。プロセッサ１０１は、ＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰ（Ｄｉｇｉｔａｌ  Ｓｉｇｎａｌ  Ｐｒｏｃｅｓｓｏｒ）ともいう）である。メモリ１０２は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリー、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の、不揮発性または揮発性の半導体メモリ、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｋ）等が該当する。処理回路が制御回路１００により実現されるものがある場合、これらは、メモリ１０２に格納されたプログラムがプロセッサ１０１により実行されることにより実現される。メモリ１０２は、プロセッサ１０１によりプログラムが実行される際の記憶領域としても用いられる。
【００２５】
本実施の形態では、リモコン２は、無線信号に基づいて携帯端末４がリモコン２に近接したことを検出した場合に、該携帯端末４を、リモコン２に対応付けられている空調室内機１を操作することが可能な端末として登録することをシステムコントローラ３へ依頼する。リモコン２は、上述したとおり、空調室内機１の空調エリア内に設置されており、リモコン２に近接している携帯端末４は空調室内機１の空調エリアに存在すると考えられる。空調室内機１が複数存在する空気調和システム１０では、携帯端末４を保持するユーザーと離れた場所に設置されている空調室内機１も存在するため、携帯端末４が操作可能な空調室内機１を登録しておくことが望ましい。本実施の形態では、リモコン２に近接していることを判定基準にして、携帯端末４と空調室内機１とを対応付けるため、空調室内機１の空調エリアに存在する携帯端末４と該空調室内機１とを対応付けることができる。また、空調室内機１の設置場所がユーザーのアクセスしにくい場所にある場合もあるがリモコン２は一般にユーザーがアクセスしやすい場所に設置される。本実施の形態では、ユーザーは、携帯端末４を、直接、空調室内機１へ近づける必要がなく、リモコン２に近づければよいため、ユーザーにとって登録のための作業が容易となる。
【００２６】
次に、本実施の形態の携帯端末４の登録に関する詳細動作について説明する。図５は、本実施の形態のリモコン２における携帯端末の登録動作の一例を示すフローチャートである。リモコン２は、図５に示した登録動作を、例えば一定周期ごとに実施する。まず、リモコン２は、携帯端末４のリモコン２への近接を判定する（ステップＳ１）。すなわち、リモコン２は、携帯端末４がリモコン２へ近接したか否かを判定する。詳細には、リモコン２の無線通信部２３が、例えば、受信した電波の強度に基づいて、携帯端末４が近接したか否かを判定する。無線通信部２３が、ＮＦＣなどのように通信距離が数ｃｍの通信方式の通信を行う場合は、携帯端末４からの無線信号が受信できたことをもって携帯端末４がリモコン２へ近接したと判定してもよい。無線通信部２３が、Ｂｌｕｅｔｏｏｔｈなどのように通信距離が数ｍの通信方式の通信を行う場合または無線ＬＡＮなどのようにさらに通信距離の長い通信方式の通信を行う場合は、例えば、リモコン２と携帯端末４との距離が一定距離である場合に無線通信部２３により受信する携帯端末４から送信された電波の強度を閾値としてあらかじめ定めておく。そして、無線通信部２３は、受信した無線信号の強度が、閾値以上である場合に、携帯端末４が近接したと判定する。
【００２７】
リモコン２へ携帯端末４が近接していないと判定した場合（ステップＳ２  Ｎｏ）、リモコン２は処理を終了する。リモコン２へ携帯端末４が近接したと判定した場合（ステップＳ２  Ｙｅｓ）、リモコン２は、携帯端末４からＩＤを取得する（ステップＳ３）。詳細には、無線通信部２３は、受信した無線信号から携帯端末４のＩＤを抽出する。または、無線通信部２３は、携帯端末４へ、携帯端末４のＩＤの送信を要求する信号を送信し、携帯端末４から受信した応答に含まれる携帯端末４のＩＤを抽出する。携帯端末４のＩＤは、例えば、携帯端末４から送信された無線信号に含まれている携帯端末のシリアルナンバー、ＭＡＣ（Media  Access  Control）アドレス、ＩＰ（Internet  Protocol）アドレスなどのアドレスであるが、これらに限定されない。無線通信部２３は、取得したＩＤを登録依頼部２２へ渡す。
【００２８】
次に、リモコン２は、システムコントローラ３に、自身の運転管理対象である空調室内機１と取得したＩＤすなわち近接したと判定された携帯端末４との組で登録依頼を発行し（ステップＳ４）、処理を終了する。詳細には、リモコン２の登録依頼部２２は、空調通信部２１から受け取った携帯端末４のＩＤと自身の運転管理対象である空調室内機１とを関連付けるための登録依頼を生成し、登録依頼を、空調通信部２１を介してシステムコントローラ３へ送信する。
【００２９】
以上のように、リモコン２の無線通信部２３は、携帯端末４から受信した無線信号の電波強度に基づいて携帯端末４がリモートコントローラ２に近接しているか否かを判定する。登録依頼部２２は、無線通信部２３により携帯端末４がリモコン２に近接していると判定された場合に、携帯端末４を、リモコン２に対応付けられている空調室内機１を操作可能な操作端末に登録することを要求する登録依頼を生成する。
【００３０】
上記のステップＳ４により、システムコントローラ３は、空調室内機１と携帯端末４のＩＤとを組とした登録依頼を受信する。システムコントローラ３は、受信した登録依頼に基づいて、記憶部３４に格納されている関連付け情報を更新する。図６は、記憶部３４に格納されている関連付け情報の一例を示す図である。図６に示すように、関連付け情報は、室内機すなわち空調室内機１を示す識別情報とＩＤすなわち携帯端末４のＩＤとの対応を示す情報である。図６の例では、空調室内機１−１は、２つの携帯端末４のＩＤすなわち２つの携帯端末４に対応付けられている。これにより、空調室内機１−１は、２つの携帯端末４からの操作を受け付けることが可能であることがわかる。
【００３１】
次に、システムコントローラ３における携帯端末４から受信した信号に対する処理について説明する。図７は、システムコントローラ３における動作の一例を示すフローチャートである。システムコントローラ３は、例えば、一定周期ごとに図７に示した処理を実施する。システムコントローラ３は、まず、広域ネットワークを介した携帯端末４からの信号の受信の有無を判定する（ステップＳ１１）。詳細には、広域通信部３３が、広域ネットワークを介した携帯端末４からの信号の受信の有無を判定する。
【００３２】
携帯端末４からの信号の受信が有る場合（ステップＳ１２  Ｙｅｓ）、システムコントローラ３は、携帯端末４からＩＤを取得する（ステップＳ１３）。詳細には、広域通信部３３が、広域ネットワークを介して携帯端末４からＩＤを取得する。具体的には、広域通信部３３が、広域ネットワークを介して携帯端末４へＩＤの取得を要求して、携帯端末４がＩＤを応答に格納して送信してもよいし、携帯端末４が自発的に、操作指令または状態取得要求にＩＤを付加して送信してもよい。
【００３３】
なお、携帯端末４が送信する操作指令は、空調室内機１に対する操作指令であり、携帯端末４が送信する状態取得要求は、空調室内機１の状態を取得するための要求である。携帯端末４は、例えば、アプリケーションがインストールされることにより、制御部４２が操作指令または状態取得要求の送信を受け付ける画面を表示部４５へ表示する。そして、入力部４４が操作されることにより操作指令または状態取得要求の生成が指示された場合、携帯端末４の制御部４２は、操作指令または状態取得要求を生成して、第２無線通信部４３および広域ネットワークを介してシステムコントローラ３へ送信する。または、制御部４２が第２無線通信部４３および広域ネットワークを介して図示しないＷｅｂサーバへアクセスすることにより、Ｗｅｂサーバから操作指令または状態取得要求が送信されるようにしてもよい。
【００３４】
システムコントローラ３は、関連付け情報を参照し、取得したＩＤの携帯端末４との関連付けを検索する（ステップＳ１４）。詳細には、中継部３２が、記憶部３４に格納された関連付け情報を参照し、関連付け情報内の、取得したＩＤに対応する情報を検索する。
【００３５】
ステップＳ１４の検索により、取得したＩＤが関連付け情報内に存在した場合（ステップＳ１５  Ｙｅｓ）、関連付けられた空調室内機１に携帯端末４からの信号すなわち操作指令または状態取得要求を送信し（ステップＳ１６）、処理を終了する。
【００３６】
ステップＳ１４の検索により、取得したＩＤが関連付け情報内に存在しなかった場合（ステップＳ１５  Ｎｏ）、処理を終了する。携帯端末４からの信号の受信が無い場合（ステップＳ１２  Ｎｏ）、システムコントローラ３は、各空調室内機１の状態変化の受信の有無を判定する（ステップＳ１７）。空調室内機１の状態変化とは、例えば、運転モードの変更、設定温度の変更などである。空調室内機１は、状態が変化した場合に、空調ネットワークを介してシステムコントローラ３へ、状態が変化したことを通知する。ステップＳ１７では、詳細には、システムコントローラ３の空調通信部３１が、空調室内機１から状態変化の通知の受信の有無を判定する。
【００３７】
空調室内機１の状態変化を受信した場合（ステップＳ１８  Ｙｅｓ）、システムコントローラ３は、関連付け情報を参照し、通知の送信元の空調室内機１との関連付けを検索する（ステップＳ１９）。詳細には、中継部３２が、記憶部３４に格納された関連付け情報を参照し、関連付け情報内の、通知の送信元の空調室内機１に対応する情報すなわち通知の送信元の空調室内機１に対応する携帯端末４のＩＤを検索する。通知の送信元の空調室内機１と関連付けられた携帯端末４があった場合（ステップＳ２０  Ｙｅｓ）、該携帯端末４へ空調室内機１の状態変化を通知するための状態変化通知を広域ネットワークを介して送信し（ステップＳ２１）、システムコントローラ３は、処理を終了する。なお、状態変化通知は、例えば、電子メールにより送信される。携帯端末４では、表示部４５に状態変化通知により通知された状態変化が表示される。
【００３８】
各空調室内機１の状態変化を受信していない場合（ステップＳ１８  Ｎｏ）、および通知の送信元の空調室内機１との関連付けられた携帯端末４がなかった場合（ステップＳ２０  Ｎｏ）、システムコントローラ３は、処理を終了する。以上のように、システムコントローラ３は、携帯端末４から操作指令を受信した場合、関連付け情報に基づいて、空調室内機１へ操作指令を送信するか否かを判断する。また、システムコントローラ３は、携帯端末４から状態取得要求を受信した場合、関連付け情報に基づいて、空調室内機１へ状態取得要求を送信するか否かを判断する。また、システムコントローラ３は、空調室内機１から状態の変化を通知する状態変化通知を受信した場合、関連付け情報に基づいて、状態変化通知を送信する携帯端末４を決定する。
【００３９】
なお、ステップＳ１６において状態取得要求を空調室内機１へ送信した場合には、システムコントローラ３は、空調室内機１から応答として得られた情報を携帯端末４へ、広域ネットワークを介して応答として送信する。
【００４０】
なお、本実施の形態では、登録依頼部２２から発行された登録依頼を受けて、システムコントローラ３は関連付け情報を更新する、すなわち登録依頼に基づいて携帯端末４と空調室内機１との対応を登録するようにしたが、一定の条件を満たした場合に、この登録を削除してもよい。一定の条件としては、例えば、ある空調室内機１と関連付けられている携帯端末４と別の空調室内機１との対応付けの登録依頼を受信したという条件が考えられる。例えば、システムコントローラ３が、空調室内機１−１と既に関連付けられている携帯端末４と空調室内機１−２との対応付けの登録依頼を受信したとする。このような場合、携帯端末４のユーザーは、空調室内機１−１の空調エリアから空調室内機１−２の空調エリアへ移動したと考えられ、古い情報である携帯端末４と空調室内機１−１との関連付けは不要となる。したがって、このような場合、システムコントローラ３は、古い情報を削除する。すなわち、システムコントローラ３は、関連付け情報により第１の空調室内機である空調室内機１−１と対応付けられている携帯端末４と第２の空調室内機である空調室内機１−２との対応付けを要求する登録依頼を受信した場合、空調室内機１−１と携帯端末４との対応付けを関連付け情報から削除する。
【００４１】
また、一定の条件として、無線通信部２３により受信される電波強度が一定値以下となったという条件を用いてもよい。また、一定の条件として、登録をしてから一定時間以上経過したという条件を用いてもよい。また、空気調和システム１０がオフィスビルなどで用いられる場合には、一日に１回、例えば深夜に、全ての登録を削除するなどとしてもよい。また、携帯端末４を用いて入退場を管理する入退場システムまたは出退勤を管理する出退勤システムが用いられている場合には、システムコントローラ３は、これらのシステムと連動して、退場または退社したユーザーに対応する携帯端末４の登録を削除するなどとしてもよい。
【００４２】
以上のように、本実施の形態では、ユーザーがリモコン２に携帯端末４を近づけるだけで、簡便に、リモコン２が空調室内機１の操作対象の携帯端末４を特定することが可能である。これにより、リモコン２は、空調室内機１と携帯端末４とを対応付けるための登録をシステムコントローラ３へ送信することができる。したがって、携帯端末４は、広域ネットワークを経由した空調室内機１の操作および空調室内機１の状態確認が可能となる。
【００４３】
また、ＮＦＣのように通信距離が数ｃｍの簡便な近距離無線回路をリモコン２に無線通信部２３として搭載したとしても上述の動作を実現可能であり、携帯端末４に対して空調室内機１への広域ネットワークを介して操作を提供することができる。また、ＢＬＥのように通信距離が数ｍの通信距離の近距離無線回路をリモコン２に無線通信部２３として搭載した場合にも、近接していることを判定できればよいだけであるため、遠方からＢＬＥを用いて通信を行う必要がなく、通信帯域に負荷をかけずに上記の動作を実現することができる。また、本実施の形態では、広域ネットワークへの接続機能をリモコン２および空調室内機１に載せる必要がなく、低コストで空気調和システムを構成することができる。
【００４４】
実施の形態２．
図８は、本発明にかかる実施の形態２の空調室内機、リモコンおよびシステムコントローラの構成例を示す図である。実施の形態２の空気調和システムの構成は図１と同様であるが、実施の形態２の空気調和システムは、リモコン２の代わりにリモコン２ａを備え、システムコントローラ３の代わりにシステムコントローラ３ａを備える。実施の形態１と同様の機能を有する構成要素は、実施の形態と同一の符号を付して重複する説明を省略する。以下、実施の形態１と異なる点を中心に説明する。
【００４５】
リモコン２ａは、登録依頼部２２の代わりにＩＤ管理部２４を備える以外は、実施の形態１のリモコン２と同様である。システムコントローラ３ａは、中継部３２の代わりに中継部３２ａを備える以外は、実施の形態１のシステムコントローラ３と同様である。
【００４６】
実施の形態１では、リモコン２は、携帯端末４から取得したＩＤと空調室内機１とを対応付ける登録依頼を生成したが、本実施の形態では、リモコン２ａが生成したＩＤである機器操作ＩＤと空調室内機１とを対応付ける登録依頼を生成する。ＩＤ管理部２４は、携帯端末４が近接したと判定された場合に、機器操作ＩＤを生成する。機器操作ＩＤは、後述するように、本実施の形態においてシステムコントローラ３ａにおいて携帯端末４と該携帯端末４が操作可能な空調室内機１を関連付けた情報である関連付け情報において、携帯端末４を認識するための情報として用いられる。実施の形態では、関連付け情報において、携帯端末４を認識するための情報として携帯端末４から取得した携帯端末４のＩＤを用いていた。本実施の形態では、システムコントローラ３ａは、携帯端末４のＩＤの代わりにリモコン２ａが携帯端末４へ送信する機器操作ＩＤを用いて空調室内機１との関連付けを管理する。機器操作ＩＤは、例えば、あらかじめ定められた値を用いてもよいし、ＩＤ管理部２４により、なんらかの情報に基づいて生成されてもよく、どのように生成されてもよい。
【００４７】
図９は、本実施の形態のリモコン２ａにおける携帯端末の登録動作の一例を示すフローチャートである。リモコン２ａは、図９に示した登録動作を、例えば一定周期ごとに実施する。図９に示したステップＳ３１，Ｓ３２は、実施の形態１のステップＳ１，Ｓ２と同様である。ステップＳ３２でＹｅｓの場合、リモコン２ａは、携帯端末４から受信した信号の送信元のアドレスなどの識別情報を取得できた場合に、機器操作ＩＤを生成し、取得した識別情報に対応する携帯端末４へ送信する（ステップＳ３３）。詳細には、ＩＤ管理部２４が、機器操作ＩＤを生成して無線通信部２３へ渡し、無線通信部２３が携帯端末４へ送信する。その後、リモコン２ａは機器操作ＩＤと自身の操作対象である空調室内機１との組で登録依頼を発行し（ステップＳ３４）、処理を終了する。詳細には、ＩＤ管理部２４は、機器操作ＩＤと自身の操作対象である空調室内機１との組で登録依頼を生成し、空調通信部２１を介してシステムコントローラ３ａへ送信する。
【００４８】
以上のように、本実施の形態では、リモコン２ａは、携帯端末４から受信した送信元アドレスなどの識別情報に基づいて、操作機器ＩＤを携帯端末４へ送信する。そして、リモコン２ａは、この携帯端末４へ送信した操作機器ＩＤと自身に対応付けられている空調室内機１との対応付けを要求する登録依頼をシステムコントローラ３ａへ送信する。このように、リモコン２ａは、携帯端末４から情報すなわち携帯端末４から受信した送信元アドレスなどの識別情報を取得できたことに基づいて、登録依頼を生成している。したがって、本実施の形態においても、リモコン２ａは、携帯端末４から受信した情報に基づいて、登録依頼を生成している。本実施の形態の登録依頼部であるＩＤ管理部２４は、携帯端末４の識別情報を取得できた場合に、操作識別情報すなわち操作機器ＩＤを生成し、操作機器ＩＤと自身に対応付けられている空調室内機１とを対応付けることを要求する登録依頼情報を生成する。
【００４９】
システムコントローラ３ａは、実施の形態１の携帯端末４のＩＤの代わりに機器操作ＩＤを用いて、機器操作ＩＤと空調室内機１との対応を示す関連付け情報を記憶しており、登録依頼に基づいて関連付け情報を更新する。また、携帯端末４は、操作指令および状態取得要求を、広域ネットワークを介してシステムコントローラ３ａへ送信する際に、機器操作ＩＤを付加して送信する。
【００５０】
次に、システムコントローラ３ａにおける携帯端末４から受信した信号に対する処理について説明する。図１０は、実施の形態２のシステムコントローラにおける動作の一例を示すフローチャートである。ステップＳ４１，Ｓ４２は実施の形態１のステップＳ１１，Ｓ１２と同様である。ステップＳ４２でＹｅｓの場合、中継部３２ａは、信号の送信元の携帯端末４のアドレスなどであるＩＤと、信号に付加されている機器操作ＩＤとの対応関係を記憶する（ステップＳ４３）。
【００５１】
システムコントローラ３は、関連付け情報を参照し、取得した機器操作ＩＤとの関連付けを検索する（ステップＳ４４）。詳細には、中継部３２ａが、記憶部３４に格納された関連付け情報を参照し、関連付け情報内の、取得した機器操作ＩＤに対応する情報を検索する。
【００５２】
ステップＳ４４の検索により、取得した機器操作ＩＤが関連付け情報内に存在した場合（ステップＳ４５  Ｙｅｓ）、関連付けられた空調室内機１に携帯端末４からの信号すなわち操作指令または状態取得要求を送信し（ステップＳ４６）、処理を終了する。
【００５３】
ステップＳ４４の検索により、取得した機器操作ＩＤが関連付け情報内に存在しなかった場合（ステップＳ４５  Ｎｏ）、処理を終了する。ステップＳ４２でＮｏの場合、システムコントローラ３ａは、各空調室内機１の状態変化の受信の有無を判定する（ステップＳ４７）。
【００５４】
空調室内機１の状態変化を受信した場合（ステップＳ４８  Ｙｅｓ）、システムコントローラ３ａは、関連付け情報を参照し、通知の送信元の空調室内機１との関連付けを検索する（ステップＳ４９）。詳細には、中継部３２ａが、記憶部３４に格納された関連付け情報を参照し、関連付け情報内の、通知の送信元の空調室内機１に対応する情報すなわち通知の送信元の空調室内機１に対応する機器操作ＩＤを検索する。通知の送信元の空調室内機１との関連付けられた機器操作ＩＤがあった場合（ステップＳ５０  Ｙｅｓ）、記憶している対応関係に基づいて機器操作ＩＤに対応する携帯端末４のＩＤを求め、携帯端末４へ空調室内機１の状態変化を通知するための状態変化通知を広域ネットワークを介して送信し（ステップＳ５１）、システムコントローラ３ａは、処理を終了する。
【００５５】
各空調室内機１の状態変化を受信していない場合（ステップＳ４８  Ｎｏ）、および通知の送信元の空調室内機１との関連付けられた機器操作ＩＤがなかった場合（ステップＳ５０  Ｎｏ）、システムコントローラ３ａは、処理を終了する。
【００５６】
以上のように、本実施の形態のリモコン２ａによれば、実施の形態１と同様の効果を得ることができる。さらに、ユーザーの個人情報の一部である携帯端末４のＩＤを空調ネットワークを介してやり取りする必要がなく、安全に空気調和システムを運用することができる。
【００５７】
なお、本実施の形態では、システムコントローラ３ａが機器操作ＩＤと空調室内機１との関連付けを記憶するとしたが、空調室内機１それぞれが自身の機器操作ＩＤを記憶する構成としてもよい。この場合、システムコントローラ３ａが機器操作ＩＤを付加した操作指令および状態取得要求を空気調和システム内のすべての空調室内機１に一斉同報通信で送信し、付加された機器操作ＩＤに対応する空調室内機１が受け付ける。これにより、上述した例と同等の効果を得ることができる。
【００５８】
また、本実施の形態では、ＩＤ管理部２４は機器操作ＩＤの生成方法について制約は設けなかったが、ＩＤ管理部２４は携帯端末４への送信ごとに異なるＩＤを生成するようにしてもよい。この場合、登録依頼を携帯端末４ごとに最新のＩＤを用いて行うことができる。これにより、一定時間で登録を削除する場合と同じ効果が得られ、一時的な使用者の継続的な登録を防ぐことができる。
【００５９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６０】
１，１−１，１−２  空調室内機、２，２ａ，２−１，２−２  リモコン、３，３ａ  システムコントローラ、４  携帯端末、１０  空気調和システム、１１，２１，３１  空調通信部、１２  空調部、２２  登録依頼部、２３  無線通信部、２４  ＩＤ管理部、３２，３２ａ  中継部、３３  広域通信部、３４  記憶部、４１  第１無線通信部、４２  制御部、４３  第２無線通信部、４４  入力部、４５  表示部。
【図１】
0006636176.tif 000002
【図２】
0006636176.tif 000003
【図３】
0006636176.tif 000004
【図４】
0006636176.tif 000005
【図５】
0006636176.tif 000006
【図６】
0006636176.tif 000007
【図７】
0006636176.tif 000008
【図８】
0006636176.tif 000009
【図９】
0006636176.tif 000010
【図１０】
0006636176.tif 000011